(57)【要約】【課題】耐油性のある紙袋を提供する。【解決手段】繊維表面が枝分かれしたパルプで作られた紙を折り畳むことにより紙袋を形成する。この紙袋の中に例えば油分を含んだポテトチップ、水分を含んだ豆腐、機械油の付いた機械部品等を入れた場合、油分や水分が紙袋の紙により遮断され手、食器等が汚れない。また、袋の形態となっているので、油分、水分の漏れ出し、垂れ落ちが防止される。また、紙袋の紙はシリコン、プラスチック等を含んでいないので、廃棄処理が簡易化される。【選択図】      図１
2004307016.tif 000002
【特許請求の範囲】
【請求項１】
繊維表面が枝分かれしたパルプで作られた紙を折り畳むことにより形成されたことを特徴とする紙袋。
【請求項２】
請求項１に記載の紙袋において、平袋状に折り畳まれたことを特徴とする紙袋。
【請求項３】
請求項１に記載の紙袋において、ガセット袋状に折り畳まれたことを特徴とする紙袋。
【発明の詳細な説明】
【０００１】
【発明の属する技術分野】
本発明は、紙袋に関する。
【０００２】
【従来の技術】
従来、繊維パルプを叩解して抄造した紙等で料理用紙を作ることが知られている。この料理用紙を食器等に敷いておくと料理から出る油等が食器等に付着しないようにすることができる（例えば、特許文献１参照。）。
【０００３】
また、シリコンコート紙を折り畳んで両端縁部を重ね合わせ二度折りすることにより筒形にした袋が知られている。この袋の中に食材を挿入して袋ごと加熱すれば油等の漏れ出しを生じることなく調理することができる（例えば、特許文献２参照。）。
【０００４】
【特許文献１】
実開平６−３１６２８号公報
【特許文献２】
特開平１１−１０５９４２号公報
【０００５】
【発明が解決しようとする課題】
料理用紙は汎用性があり油分、水分等を含んだ食品を包んで手、食器等に油分等が付着しないようにすることができるが、器を使用しないときは料理用紙の開放縁から油分等が漏れたり垂れ落ちたりする場合がある。
【０００６】
また、シリコンコート紙で形成された袋はシリコン等を紙表面に塗布しなければならないので、袋の製造コストが高くなり、また使用後の廃棄処分が面倒である。
【０００７】
本発明は、上記欠点を解消することができる紙袋を提供することを目的とする。
【０００８】
【課題を解決するための手段】
上記目的を達成するため、請求項１に係る発明は、繊維表面が枝分かれしたパルプで作られた紙を折り畳むことにより形成された紙袋を採用する。
【０００９】
紙袋は例えば平袋状、ガセット袋状に折り畳むことができる。この紙袋の中に例えば油分を含んだポテトチップ、水分を含んだ豆腐、機械油の付いた機械部品等を入れた場合、油分や水分が紙袋の紙により遮断され手、食器等が汚れない。また、袋の形態となっているので、油分、水分の漏れ出し、垂れ落ちが防止される。また、紙袋の紙はシリコン、プラスチック等を含んでいないので、廃棄処理が簡易化される。
【００１０】
【発明の実施の形態】
次に、本発明の実施の形態について図面を参照して説明する。
【００１１】
図１及び図２に示すように、この紙袋１はガセット袋であり、保管、搬送時に扁平に折り畳まれた状態とされ、使用時に図５に示すように立体的に拡げられ開口部２が開けられ内容物が投入され、必要に応じて閉じられるようになっている。
【００１２】
図１及び図２に示すように、紙袋１は後述する耐熱耐油紙を折り畳むことにより形成され、扁平に折り畳まれ非ヒートシール性接着剤である液状糊５により接着された筒状の胴部１ａを備える。この接着剤としてヒートシール性接着剤を用いることも可能である。
【００１３】
胴部１ａの両側縁には必要に応じてマチ部３ａ，３ｂが設けられる。マチ部３ａ，３ｂはこの紙袋１をガセット状にするために設けられたもので、例えば平袋状等他のタイプにする場合は省略される。内容物としては、油分を含んだポテトチップ、水分を含んだ豆腐、その他機械油の付着した機械部品等を適宜選択可能である。
【００１４】
胴部１ａの上側は内容物を入れるための開口部２とされる。開口部２は図２に示すように紙袋１を畳んだ状態で閉じ、図５（Ａ）に示すように紙袋１を拡げた状態で開く。内容物はこの開口部２から紙袋１内に入れられる。
【００１５】
胴部１ａの下側はその底側を封じるための封止部４とされる。封止部４は、図１、図３及び図４に示すように、筒状の胴部１ａの底辺をヒートシール性接着剤６で閉じることにより形成される。この接着剤として非ヒートシール性接着剤を用いることも可能である。
【００１６】
上記ヒートシール性接着剤６としては、例えばエチレン・酢酸ビニル共重合体系の成分を含むポリエステル系接着剤を用いることができる。また、非ヒートシール性接着剤である液状糊としては、例えば酢酸ビニル共重合体、エチレン・酢酸ビニル共重合体等を水性エマルジョンにした接着剤を用いることができる。
【００１７】
この紙袋１の構成材料である素材シートは、耐熱耐油性を有し、また適度に蒸気を通す紙で作られる。この紙としては白樺、樅等を原料とする超微繊維パルプを叩解して抄造した高密度のものを用いることができる。この素材シートは、叩解により繊維表面が枝分かれしたパルプで作られた高密度の紙であり、例えば０．７〜０．９ｇ／ｍ２の密度を有し、油、水等を通し難い性質を有する。
【００１８】
図示しないが、素材シートの上下がそれぞれ袋口の構成部分と袋底の構成部分とされ、袋底の構成部分の縁に紙袋１の封止部４を形成するための接着剤であるヒートシール剤６が帯状に塗布される。素材シートの中程には前壁部１０が設けられ、前壁部１０の左右にマチ部３ａ，３ｂがそれぞれ連設され、各マチ部３ａ，３ｂの外側には二分割された背壁部１１ａ，１１ｂがそれぞれ連設される。各マチ部３ａ，３ｂはそれぞれ素材シート上を上下方向に伸びる三本の折り線により形成され、中央線を谷折り線１２とし外線を山折り線１３，１４として前壁部１０と背壁部１１ａ，１１ｂとの間に折り込まれるようになっている。背壁部１１ａ，１１ｂの側縁にはこの紙袋１の胴部１ａを筒状にするための接着剤である液状糊５が帯状に塗布される。
【００１９】
図示しないが、この素材シートは、耐熱耐油紙の巻取紙上に一定ピッチで形成される。この巻取紙にはあらかじめヒートシール性接着剤６が巻取紙を横断するように一定ピッチで帯状に塗布されており、素材シートの繰り出し時に液状糊５が巻取紙の側縁に沿って帯状に塗布される。巻取紙は液状糊５の塗布後更に走行しつつ幅方向に巻回され、液状糊５の箇所で接着されて筒状に形成され、谷折り線１２と山折り線１３，１４で折られてマチ部３ａ，３ｂを与えられ、マチ部３ａ，３ｂを挟むように前壁部１０と背壁部１１ａ，１１ｂを与えられる。この後、ヒートシール型でヒートシール剤６の塗布箇所がシールされ、図示しない切断刃により図１に示す紙袋１の胴部１ａが巻取紙から切り離される。この紙袋１の胴部１ａのヒートシール性接着剤６で接着された箇所が封止部４とされる。
【００２０】
上記構成の紙袋１は、使用に際し、図５（Ａ）に示すように立体的に拡げられ、その開口部２から油分又は水分を含んだ各種内容物が投入され、必要に応じて５図（Ｂ）に示すように開口部２を閉じられる。紙袋１は繊維表面が枝分かれしたパルプで作られた紙を折り畳むことにより形成されるので、紙袋１の中に例えば油分を含んだポテトチップや水分を含んだ豆腐を入れた場合であっても、油分や水分が袋の紙により遮断され手、食器等が汚れない。また、袋の形態となっているので、油分、水分の漏れ出し、垂れ落ちが防止される。
【００２１】
なお、上記実施の形態では紙袋をガセット袋として説明したが、本発明はその他の底形状を有する角底袋、マチ部の省略された平袋としてもよく、また胴部も角筒のほか円筒形、円錐形等としてもよい。
【００２２】
【発明の効果】
本発明によれば、繊維表面が枝分かれしたパルプで作られた紙を折り畳むことにより形成された紙袋であるから、この袋の中に例えば油分を含んだポテトチップや水分を含んだ豆腐を入れた場合であっても、油分や水分が袋の紙により遮断され手、食器等が汚れない。また、袋の形態となっているので、油分、水分の漏れ出し、垂れ落ちが防止される。また、袋の紙はシリコン、プラスチック等を含んでいないので、廃棄処理が簡易化される。
【図面の簡単な説明】
【図１】本発明に係る紙袋の折り畳み状態の平面図である。
【図２】図１中、ＩＩ−ＩＩ線矢視断面図である。
【図３】図１中、ＩＩＩ−ＩＩＩ線矢視断面図である。
【図４】図１中、ＩＶ−ＩＶ線矢視断面図である。
【図５】紙袋の使用手順を示す斜視図であり、（Ａ）は紙袋を拡げた状態、（Ｂ）は内容物を入れた後紙袋の開口を閉じた状態をそれぞれ示す。
【符号の説明】
１…紙袋
１ａ…胴部
【図１】
2004307016.tif 000003
【図２】
2004307016.tif 000004
【図３】
2004307016.tif 000005
【図４】
2004307016.tif 000006
【図５】
2004307016.tif 000007